(57)【特許請求の範囲】
【請求項１】
フィルタ収納室内に筒状をしたフィルタを該フィルタの外周とフィルタ収納室の内面との間に通気空間を形成するように横向きに配設し、この筒状のフィルタの端部開口をオイルミストを含んだ排気の流入部とし、フィルタ収納室の上面部に開口部を設け、該開口部にフィルタを通過した排気を排出するための排気口を有する排気蓋を着脱自在に取付け、フィルタ収納室内の対向する内面にそれぞれ環状をした内側受け片を対向して突設すると共に、環状をした内側受け片の外側に隙間を介して略半円状をした外側受け片を突設し、略半円状をした外側受け片の円の切り欠き部分がフィルタ収納室の上面部の開口部を向くようにし、内側受け片と外側受け片との間の嵌め込み溝に平面状をしたフィルタの軸方向の両端部が嵌め込まれて筒状となっていると共にフィルタの両端部が接合手段により接合してあることを特徴とするオイルミスト除去装置。
【請求項２】
フィルタ収納室よりも上流側に前室を設け、筒状をした前フィルタを該前フィルタの外周と前室の内面との間に通気空間を形成するように横向きに配設し、前室の壁面に排気の吸入口を設け、この吸入口を筒状をした前フィルタの軸方向と直交する方向に開口し、且つ、吸入口の中心が前フィルタの軸線よりも下となるようにし、前室内に吸入口から吸入される排気を前室内に斜め下方にガイドするためのガイドを設けて成ることを特徴とする請求項１記載のオイルミスト除去装置。
【発明の詳細な説明】
【０００１】
【発明の属する技術分野】
本発明は、オイルミストを含んだ排気からオイルミストを除去するためのオイルミスト除去装置に関するものである。
【０００２】
【従来の技術】
従来からオイルミスト除去装置として、図１３に示すような円筒状のフィルタ７０、図１４に示すようなプリーツ状フィルタ７１などが知られており、図１３に示すものは円筒状のフィルタ７０の外側から内側にオイルミストを含んだ排気を流し、円筒状のフィルタ７０の端部の開口から排気するようにしており、また、図１４に示すものはプリーツ状フィルタ７１の下方からプリーツ状フィルタ７１の上方にオイルミストを含んだ排気を流していた。
【０００３】
上記図１３に示す従来例においては、円筒状のフィルタ７０により捕捉されたオイルミストの粒子は重力により円筒状のフィルタ７０に沿って下方に流れ、円筒状のフィルタ７０の下部に集まり、オイルミストの凝集物７２となる。ところが、筒状のフィルタ７０の下部においても図１３の矢印ヌに示すように外側から内側にかけて排気が流れるので、この筒状のフィルタの下部を流れる排気の流れにより筒状のフィルタ７０の下部に溜まったオイルミストの凝集物７２が吹き飛ばされて筒状のフィルタ７０内に飛散し、筒状のフィルタ７０内を筒状のフィルタ７０の端部開口側に流れる排気流に乗って筒状のフィルタ７０の端部の開口から外に出てしまうという問題がある。
【０００４】
また、図１４に示す従来例においては、プリーツ状フィルタ７１の傾斜した片７１ａに捕捉されたオイルミストの粒子は傾斜した片７１ａに沿って重力により流下して傾斜した片７１ａ同士のなす谷底部７１ｂに集まってオイルミストの凝集物７２となり、この傾斜した片７１ａ同士のなす谷底部７１ｂ分に集まったオイルミストの凝集物７２に図１４の下方から吹き上げる排気流が衝突してオイルミストの凝集物７２をプリーツ状フィルタ７１の上方に飛散して該排気流とともに外部に排出してしまうという問題がある。
【０００５】
このように、せっかくフィルタにより捕捉した排気中のオイルミストの粒子はこれを集めてオイルミストの凝集物になると、従来においては排気流により飛散し、オイルミストの除去効果があまりよくないという問題があった。
【０００６】
また、従来、円筒状のフィルタはフィルタ枠に取付けてユニット化したものであり、フィルタの交換はユニット化したフィルタ枠に円筒状のフィルタを取付けてユニット化したものを交換していた。このため、交換用のフィルタとしてはフィルタ枠に円筒状のフィルタを取付けてユニット化したものであり、運搬、保管にスペースを取り、コストも高くなり、しかも、交換に当たってもフィルタ枠に円筒状のフィルタを取付けてユニット化したものを交換するため、交換作業が大掛かりになるという問題があった。
【０００７】
更に、オイルミスト除去装置に前室７４を設けて前室７４内に筒状をした前フィルタ７５を配設し、吸入口７６から前室７４内に吸入したオイルミストを含んだ排気を前フィルタ７５の外側から内側に通して前フィルタ７５により捕捉するようにしているが、図１５に示すように、前室７４の上面に排気の吸入口７６を設け、この吸入口７６を筒状をした前フィルタ７５の軸方向と直交する方向に開口し、吸入口７６から吸入されたオイルミストを含んだ排気を筒状をした前フィルタ７５の外周を旋回させながら、前フィルタ７５の外側から内側に通すようにしている。ここで、吸入口７６から吸入された排気中のオイルミストの粒子の一部が前フィルタ７５を通過する前に重力により排気から分離しようとするが、前室７４の上面の吸入口７６から前室７４内に流れ込んでいったん重力により分離したオイルミストの粒子は図１５の矢印ルに示すように下方に落下しようとするが、一方、円筒状の前フィルタ７５の側方位置（つまり前室７４の上面の吸入口７６から前室７４の下面まで落下する途中の位置）においては、前フィルタ７５に吸い込まれようとする吸引力（図１５の矢印ヲ方向）が生じており、上記矢印ル方向と矢印ヲ方向とは１８０°逆方向ではなく、略９０°の角度となっている。ここで、矢印ル方向と矢印ヲ方向とは１８０°逆方向の場合には分離したオイルミストの粒子の重力によりそのまま前室７４内を下方に落下できるが、略９０°の角度だと重力で落下しようとするオイルミストの粒子が前フィルタ７５側に向けて側方に吸引されて前フィルタ７５に付着してしまう。
【０００８】
このため、前フィルタ７５に到る前において一部のオイルミストの粒子を分離して前室７４内で下方に流して集めることができず、前フィルタ７５で捕捉するオイルミストの量が多くなり、前フィルタ７５の寿命が短くなるという問題があった。
【０００９】
【発明が解決しようとする課題】
本発明は上記の点に鑑みてなされたものであり、簡単な構成でフィルタに捕捉して凝集したオイルミストの粒子の凝集物が飛散して外に出るのを防止し、また、円筒状のフィルタの交換が容易に行え、交換に使用するフィルタの搬送、保管に当たってスペースを取らず、低コスト化が図れ、更に、前室内において前フィルタに到る前にも効率的にオイルミストの粒子を重力で分離して回収できるオイルミスト除去装置を提供することを課題とするものである。
【００１０】
【課題を解決するための手段】
上記課題を解決するために本発明に係るオイルミスト除去装置は、フィルタ収納室１１内に筒状をしたフィルタ２８を該フィルタ２８の外周とフィルタ収納室１１の内面との間に通気空間を形成するように横向きに配設し、この筒状のフィルタ２８の端部開口をオイルミストを含んだ排気の流入部とし、フィルタ収納室の上面部に開口部２４を設け、該開口部２４に排気口２５を有する排気蓋２６を着脱自在に取付け、フィルタ収納室１１内の対向する内面にそれぞれ環状をした内側受け片２１を対向して突設すると共に、環状をした内側受け片２１の外側に隙間を介して略半円状をした外側受け片２２を突設し、略半円状をした外側受け片２２の円の切り欠き部分がフィルタ収納室１１の上面部の開口部２４を向くようにし、内側受け片２１と外側受け片２２との間の嵌め込み溝２９に平面状をしたフィルタ２８の軸方向の両端部が嵌め込まれて筒状となっていると共にフィルタ２８の両端部が接合手段により接合してあることを特徴とするものである。すなわち、排気が筒状のフィルタ２８の内周から外に通過してフィルタ収納室１１の上面部の排気口２５に向けて流れる際、円筒状のフィルタ２８を通過する排気の大部分はフィルタ収納室１１の上面部の排気口２５に近い円筒状のフィルタ２８の上部及び両側部を主として通過して流れ、この部分を流れる風量が多く、排気口２５から最も遠い円筒状のフィルタ２８の下端部を流れる排気の風量が最も少ない。しかして、円筒状のフィルタ２８の上部、両側部を排気の大部分が通過する際にフィルタ２８の上部、両側部で捕捉された排気中のオイルミストの粒子は重力により筒状のフィルタ２８を伝って筒状のフィルタ２８の下端部に集まってオイルミストの凝集物となり、このオイルミストの凝集物が筒状のフィルタ２８の下端部から下方に重力により落下してフィルタ収納室１１の下面に滴下して収集されるものであり、この場合、筒状のフィルタ２８下端部を通過して流れる排気の風量が少ないため、筒状のフィルタ２８の下端部に溜まって重力により落下するオイルミストの凝集物が飛散することなく重力により落下してそのまま捕捉面であるフィルタ収納室１１の下面部に流下して下面部に捕集されることになる。また、フィルタ２８の交換に当たっては、排気蓋２６を外して開口部２４から面状のフィルタ２８を内側受け片２１と外側受け片２２との間の嵌め込み溝２９に差し込んで筒状とし、フィルタ２８の両端部を接合することで、嵌め込み溝２９に嵌め込み支持した状態で筒状をしたフィルタ２８をフィルタ収納室１１内に配設でき、また、フィルタ２８を取り外す際には接合手段を外して開口部２４から引き抜くことで、簡単に取り外すことができるものである。したがって、フィルタ２８としては平面状をしたものを用意するのみでよいものである。
【００１２】
また、フィルタ収納室１１よりも上流側に前室９を設け、筒状をした前フィルタ１９を該前フィルタ１９の外周と前室９の内面との間に通気空間を形成するように横向きに配設し、前室９の壁面に排気の吸入口２０を設け、この吸入口２０を筒状をした前フィルタ１９の軸方向と直交する方向に開口し、且つ、吸入口の中心が前フィルタ１９の軸線よりも下となるようにし、前室９内に吸入口から吸入される排気を前室９内に斜め下方にガイドするためのガイド３０を設けることも好ましい。このような構成とすることで、排気はガイド３０にガイドされて旋回流となって筒状の前フィルタ１９の外周を旋回しながら筒状の前フィルタ１９の外周に対して直角方向から前フィルタ１９内に吸引され、一方、排気中に含まれる工作機械から発生する切削屑、切粉、砥粒、粒径の大きなオイルミスト等がガイド３０に衝突して排気から分離され、重力により矢印ロで示すように下方に落下する。この時、旋回流にのって筒状をした前フィルタ１９の下方位置まで移動するが、この場合における切削屑、切粉、砥粒、粒径の大きなオイルミスト等の重力による下方への落下方向ロが、該切削屑、切粉、砥粒、粒径の大きなオイルミスト等が前フィルタ１９へ吸引される方向とはほぼ１８０°正反対方向となるため、気流中より前フィルタ１９への吸引力の影響力を受けることなく下方に重力で落下して前室９の下面部に溜まって捕集されるものである。
【００１３】
【発明の実施の形態】
以下、本発明を添付図面に示す実施形態に基づいて説明する。
【００１４】
図１乃至図４には本発明のオイルミスト除去装置が示してある。オイルミスト除去装置７は、箱体８内には前部に前室９、中央部にファン収納室１０、後部にフィルタ収納室１１とモータ収納室１２とが設けてある。モータ収納室１２は箱体８の後部中央に設けてあってモータ１３が収納して取付けてある。モータ収納室１２は周壁１２ａと前壁１２ｂとで有底筒状に形成してあり、このモータ収納室１２の周壁１２ａにより箱体８の後部の内部を仕切り、箱体８内の後部の周壁１２ａの外側の空間がフィルタ収納室１１となっている。
【００１５】
フィルタ収納室１１の前後方向の両側壁（実施例では後述の仕切り板１４と箱体８の後面板）には図１、図２に示すように、環状をした内側受け片２１が突設してあり、内側受け片２１は上記モータ収納室１２の周壁１２ａの外方に周壁１２ａを隙間を介して囲むように設けてある。フィルタ収納室１１の前後方向の両側壁には更に上記環状をした内側受け片２１の外側に略半円状の外側受け片２２が突設してあり、この外側受け片２２の上部両端部から上方に一対のガイドレール２３が連出してある。箱体８のフィルタ収納室１１の上面部に相当する部位には開口部２４が設けてあり、実施形態においては開口部２４に多数の孔よりなる排気口２５を有する排気蓋２６が着脱ねじ２７により着脱自在に取付けてある。上記前側の一対のガイドレール２３、後側の一対のガイドレール２３の上端部はぞれぞれ開口部２４の前の巾方向の両端部、後の巾方向の両端部付近に位置している。
【００１６】
環状をした内側受け片２１にはフィルタ２８が巻装してある。このフィルタ２８は面状をしたものを環状をした内側受け片２１に沿って円筒状に曲げて両端部を接合手段により接合したものである。
【００１７】
上記フィルタ２８の取付けに当たっては、上記排気蓋２６を外して開口部２４を開とし、図３に示すように開口部４から面状をしたフィルタ２８の下端部の前後端をそれぞれ前後に対向するガイドレール２３に沿わせて図３の矢印方向に差し込んで内側受け片２１の外面に当てて更に挿入することで内側受け片２１と外側受け片２２との間の嵌め込み溝２９に挿入し、この状態で更に面状をしたフィルタ２８を押し込むことで、面状のフィルタ２８が内側受け片２１と外側受け片２２との間の嵌め込み溝２９に沿って湾曲されながら挿入先端が外側受け片２２の両上端部間の位置（内側受け片２１の上端部）まで到るので、この位置でフィルタ２８の両端部を重ね又は突き合わせて止め具、接着テープなどの任意の接合手段により接合して筒状とするものである。このフィルタ２８を取り外して掃除したり交換する場合には、上記接合手段による接合を解除してフィルタ２８の一端部を手に持って引き上げることで開口部２４から簡単に取り外すことができるものである。したがって、取付け状態で筒状となるフィルタ２８の着脱に当たっては排気蓋２６の着脱のみで簡単に行えるものである。
【００１８】
箱体８の中央部には図１に示すように仕切り板１４が設けてあり、この仕切り板１４の中央部には中央孔部１５が設けてあり、中央孔部１５の周縁部に前室９内に突出するファンカバー１６の後端外周部が固着してあって、ファンカバー１６と、前述のモータ収納室１２の前壁１２ｂとに囲まれた部分がファン収納室１０となっている。仕切り板１４の中央孔部１５とモータ収納室１２の前壁１２ｂの外周端部との間は隙間となっていて該隙間が出口部１７を構成している。また、ファンカバー１６の前面部中央には入口部１８が設けてある。ファン収納室１０内にはファン６が収納してあり、該ファン６はファン収納室１０内に突出したモータ１３のモータ軸１に取付けてある。
【００１９】
ファン６は図５乃至図１１に示すようなもので、モータ軸１に固定する円板部２の前方に中央部が気流が流入する開口部３となったリング状板部４を対向配置し、リング状板部４と円板部２との間に羽根部５を放射状に複数枚架設して構成してある。ファン６の羽根部５と羽根部５との間はリング状板部４の開口部３から流入した気流が流れる通気路となっている。羽根部５は図１１に示すように、第１の羽根片５ａと、第１の羽根片５ａの外端縁から突出した第２の羽根片５ｂと、第２の羽根片５ｂの突出先端縁から突出した第３の羽根片５ｃとで構成してある。
【００２０】
第１の羽根片５ａは前面視において外端程回転方向と反対側にずれるように傾斜しており、更に前面視において回転方向の面が凸となるように弧状となっている。第１の羽根片５ａの前後方向（モータ軸１の軸方向と同方向）の両外端はそれぞれ円板部２の外周端、リング状板部４の外周端とほぼ一致している。
【００２１】
第２の羽根片５ｂは上記の第１の羽根片５ａに沿って流れる気流の向きを遠心力方向に変えるためものであり、第１の羽根片５ａの外端縁部から外方向に突出しており、その突出方向は気流の向きを遠心力方向に変えることができるようにファン６の遠心力方向（つまり前面視においてモータ軸１を通る任意の放射方向）とほぼ等しくなっている。このように第２の羽根片５ｂは円板部２の外周端、リング状板部４の外周端から外方に突出させるのであるが、この第２の羽根片５ｂの突出先端縁の円板部２側の端部又はリング状板部４側の端部のいずれかの描く回転軌跡の半径が他方よりも大きくなるように突出先端縁を前後方向に傾斜させてある（つまりモータ軸１に対して傾斜させてある）。また、この前後方向に傾斜した第２の羽根片５ｂの突出先端縁は図１１に示すように前後方向において直線ではなく弧状となった弧状縁５０となっている。
【００２２】
第３の羽根片５ｃは第２の羽根片５ｂにより遠心力方向に向きを変えられた気流がほぼ垂直に衝突するように第２の羽根片５ｂから回転方向に向けて突出したもので、図８に示すようにモータ軸１と垂直に切断した断面形状がファン６の遠心力方向とほぼ垂直となっている。また、第３の羽根片５ｃは図１１に示すように前後方向において上記第２の羽根片５ｂの弧状となった弧状縁５０とほぼ平行となるように弧状面に形成してある。
【００２３】
添付図面に示す実施形態では、第２の羽根片５ｂの突出先端縁の円板部２側の端部の描く回転軌跡の半径がリング状板部４側の端部の描く回転軌跡の半径よりも大きくなるように突出先端縁を前後方向に傾斜させてあり、このため、第３の羽根片５ｃは正面視で円板部２側に行くほど外側となるようになっており、第３の羽根片５ｃの後端縁（円板部２側の端縁部）と、隣りあう第２の羽根片５ｂの後端縁（円板部２側の端縁部）とに囲まれた部分が気流の出口４０となっていて、ファン６の外周部の後端から後方に気流が流れるようにできるものである。
【００２４】
もちろん、本発明において、第２の羽根片５ｂの突出先端縁のリング状板部４側の端部の描く回転軌跡の半径が円板部２側の端部の描く回転軌跡の半径よりも大きくなるように突出先端縁を前後方向に傾斜させてもよく、この場合にはファン６の外周部から前方に気流が流れ出るようにできるものである。
【００２５】
前室９内にはファンカバー１６の前面と箱体８の前面との間に筒状をした前フィルタ１９が取付けてあり、筒状をした前フィルタ１９の後端開口と入口部１８とが連通している。箱体８の前部の側面には吸入口２０が設けてあり、この吸入口２０は図１、図４に示すように筒状をした前フィルタ１９の軸方向と直交する方向に開口しており、しかも、前フィルタ１９の中心軸線よりも吸入口２０の吸入方向の軸線が下となるように位置している。また、吸入口２０から吸入する気流を前室９内に斜め下方にガイドするためのガイド３０が吸入口２０の前室９への出口部分に設けてある。
【００２６】
仕切り板１４の下端には油が流れるための小孔３１が設けてあり、箱体８の下面には油出口３２が設けてあり、この油出口３２にはオイルパンが直接又はホースを介して接続される。
【００２７】
しかして、上記のような構成のオイルミスト除去装置７により例えば旋盤や研削盤等のオイルミスト発生源から発生するオイルミストを除去するのであるが、本発明のファン６を用いたオイルミストの除去は以下のようにして行われる。
【００２８】
すなわち、モータ１３を回転してファン６を回転すると、オイルミストを含んだ排気がフード（図示せず）、ダクト（図示せず）を経て吸入口２０から前室９に流入するのであるが、この場合、図４のように吸入口２０が筒状をした前フィルタ１９の軸方向と直交する方向に開口し、且つ、前フィルタ１９の中心軸線よりも吸入口２０の吸入方向の軸線が下となるように位置し、更に、吸入口２０から吸入する気流を前室９内に斜め下方にガイドするためのガイド３０が吸入口２０の前室９への出口部分に設けてあるので、排気はガイド３０にガイドされて図４の矢印イで示す旋回流となって筒状の前フィルタ１９の外周を旋回しながら筒状の前フィルタ１９外周に対して直角方向から前フィルタ１９内に吸引され、一方、排気中に含まれる工作機械から発生する切削屑、切粉、砥粒、粒径の大きなオイルミスト等がガイド３０に衝突して排気から分離され、重力により矢印ロで示すように下方に落下する。この時、旋回流にのって筒状をした前フィルタ１９の下方位置まで移動するが、この場合における切削屑、切粉、砥粒、粒径の大きなオイルミスト等の重力による下方への落下方向ロが、該切削屑、切粉、砥粒、粒径の大きなオイルミスト等が前フィルタ１９へ吸引される方向（矢印ハ）とはほぼ１８０°正反対方向となるため、気流中より前フィルタ１９への吸引力の影響力を受けることなく下方に重力で落下して前室９の下面部に溜まることになる。これにより前フィルタ１９に到る以前で効果的に切削屑、切粉、砥粒、粒径の大きなオイルミスト等を分離して捕捉することができて、分離回収効率が向上し、切粉や砥石粉によって不織布よりなる前フィルタ１９が目詰まりすることがなく、したがって、不織布よりなる前フィルタ１９の掃除、交換等までの期間を長くできるものである。
【００２９】
更に、上記のように重力よる落下で分離がなされた後に、この重力による落下で分離できなかった切削屑、切粉、砥粒、オイルミスト等を前フィルタ１９を排気が通過する際に捕捉される。
【００３０】
前フィルタ１９内に吸引された排気にはかなりのオイルミストが分離されずに含まれているが、このオイルミストを含んだ排気はファン収納室１０の入口部１８からファン収納室１０内に入り、ファン６のリング状板部４の中央の開口部３からファン６内部に流入する。
【００３１】
開口部３から流れ込んだ排気はファン６の羽根部５間に形成される通気路に流れ込む。ここで、通気路を通過する際、ファン６の回転により第１の羽根片５ａの回転方向側の面が負圧になり、この負圧となった面に通気路を流れる排気中のオイルミストの粒子が引きつけられて分離する。この場合、第１の羽根片５ａは前面視において外端程回転方向と反対側にずれるように傾斜しているので、第１の羽根片５ａがファン６の遠心力が作用する方向（つまり円板部２の半径方向）となったものに比べて第１の羽根片５ａの内端から外端までの長さを長くできて上記オイルミストの粒子の捕捉距離を長く取ることができるものである。
【００３２】
図８の矢印ニのように第１の羽根片５ａに沿って流れる排気は第２の羽根片５ｂに衝突して矢印ホのようにファン６の遠心力方向に向きを変えられる。ここで、排気が第２の羽根片５ｂに衝突して遠心力方向に向きを変えられる際に、バッフル効果により排気中のオイルミストの粒子が分離される。更に、遠心力方向に変えられた排気の気流はファン６の遠心力により効果的に第３の羽根片５ｃにほぼ垂直に衝突する。このようにして排気の気流の向きを遠心力方向に変えると、排気に比べ重いオイルミストの粒子がファン６の遠心力により第３の羽根片５ｃにほぼ垂直に衝突するので、ファン６の遠心力を最も効果的に利用して排気中に含まれるオイルミストの粒子が気流から最も効果的に分離されることになる。
【００３３】
このように第１の羽根片５ａにより第１段階におけるオイルミストの粒子の分離捕捉を行い、第２の羽根片５ｂにより第２段階におけるオイルミストの粒子の分離捕捉を行い、第３の羽根片５ｂにより第３段階におけるオイルミストの粒子の分離捕捉を行って、効果的に排気中のオイルミストの分離捕捉を行うことができるものである。
【００３４】
ここで、第１の羽根片５ａで分離されたオイルミストは第１の羽根片５ａに沿って気流により第２の羽根片５ｂ側に移動され、更に、第２の羽根片５ｂで分離されたオイルミストは上記第１の羽根片５ａで分離されたオイルミストと共に第２の羽根片５ｂに沿って気流により第３の羽根片５ｃに移動され、更に、第３の羽根片５ｃで分離されたオイルミストは上記第１、第２の羽根片５ａ、５ｂで分離されたオイルミストと共に第３の羽根片５ｃに沿って気流により第３の羽根片５ｃの後端縁（円板部２側の端縁）に移動される。第３の羽根片５ｃの後端縁からオイルミストの凝集物がファン６の遠心力によりファン６の外周方向に飛ばされてファンカバー１６の内面に当たり、ファンカバー１６の内面に沿って流れて、ファンカバー１６の下端に設けた排出孔１６ａから前室９に流下し、油出口３２から排出されるようになっている。
【００３５】
第２の羽根片５ｂで遠心力方向に向きを変えられた排気の気流は第３の羽根片５ｃにほぼ垂直に衝突した後、図８の矢印ヘのように第３の羽根片５ｃに沿って軸流となってファン６の出口４０から後方に排出される。
【００３６】
第１の羽根片５ａに沿って流れる気流の向きを遠心力方向に変えるための第２の羽根片５ｂを設けているので、第１の羽根片５ａを前面視において外端程回転方向と反対側にずれるように傾斜してオイルミストの粒子の捕捉距離を長く取るようにしたにもかかわらず、ファン６を回転してほぼ遠心方向を向いた第２の羽根片５ｂを設けることで、このほぼ遠心方向を向いた第２の羽根片５ｂにより風を起こすことができて少ない動力で大きな風量を確保することができて、省エネルギー化が図れるものである。
【００３７】
また、既に述べたように、第２の羽根片５ｂの突出先端縁を弧状とし、第３の羽根片５ｃを上記第２の羽根片５ｂの突出先端縁とほぼ平行となるように弧状面に形成してあるので、第２の羽根片５ｂに遠心力方向に略垂直に衝突した気流を軸流方向にスムーズ且つ急激に変化させることができて第３の羽根片５ｃへの遠心力による衝突によるバッフル効果を最大に発揮することができて、効果的にオイルミストの分離ができるものである。
【００３８】
ファン６の出口４０から後方に排出される排気はファン収納室１０の出口部１７からフィルタ収納室１１内に設けた筒状のフィルタ１９の端部開口から筒状のフィルタ１９内に入り、筒状のフィルタ１９の内部から図２の矢印トのようにフィルタ１９を通過して筒状のフィルタ１９の外部に流れ、この間フィルタ１９により排気中に残ったオイルミストの凝集物を捕捉し、フィルタ１９を通過した排気はフィルタ収納室１１の上面部に存在する排気口２５から外部に排出される。
【００３９】
ここで、排気が筒状のフィルタ２８の内周から外に通過してフィルタ収納室１１の上面部の排気口２５に向けて流れる際、円筒状のフィルタ２８を通過する排気の大部分はフィルタ収納室１１の上面部の排気口２５に近い円筒状のフィルタ２８の上部及び両側部を主として通過して流れ、この部分を流れる風量が多く、排気口２５から最も遠い円筒状のフィルタ２８の下端部を流れる排気の風量が最も少ないものである。しかして、円筒状のフィルタ２８の上部、両側部を排気の大部分が通過する際にフィルタ２８の上部、両側部で捕捉された排気中のオイルミストの粒子は重力により筒状のフィルタ２８を伝って筒状のフィルタ２８の下端部に集まってオイルミストの凝集物６０となり、このオイルミストの凝集物６０が筒状のフィルタ２８の下端部から図２の矢印チのように重力により下方に落下してフィルタ収納室１１の下面部に滴下して収集されることになる。この場合、上記したように筒状のフィルタ２８下端部を通過して流れる排気の風量が少ないため、筒状のフィルタ２８の下端部に溜まって重力により落下するオイルミストの凝集物６０が飛散することなく滴となって重力により落下してそのまま捕捉面であるフィルタ収納室１１の下面部に流下して下面部に捕集されるものであり、この結果、オイルミストの凝集物６０が気流により再飛散して気流に乗って排気口２５側に流れることなく、重力で落下して確実にフィルタ収納室１１の下面部に捕集されるのである。
【００４０】
【発明の効果】
上記のように本発明の請求項１記載の発明にあっては、フィルタ収納室内に筒状をしたフィルタを該フィルタの外周とフィルタ収納室の内面との間に通気空間を形成するように横向きに配設し、この筒状のフィルタの端部開口をオイルミストを含んだ排気の流入部とし、フィルタ収納室の上面部に開口部を設け、該開口部にフィルタを通過した排気を排出するための排気口を有する排気蓋を着脱自在に取付け、フィルタ収納室内の対向する内面にそれぞれ環状をした内側受け片を対向して突設すると共に、環状をした内側受け片の外側に隙間を介して略半円状をした外側受け片を突設し、略半円状をした外側受け片の円の切り欠き部分がフィルタ収納室の上面部の開口部を向くようにし、内側受け片と外側受け片との間の嵌め込み溝に平面状をしたフィルタの軸方向の両端部が嵌め込まれて筒状となっていると共にフィルタの両端部が接合手段により接合してあるので、円筒状のフィルタの上部、両側部を排気の大部分が通過する際にフィルタの上部、両側部で捕捉された排気中のオイルミストの粒子が重力により筒状のフィルタを伝って筒状のフィルタの下端部に集まってオイルミストの凝集物となって、筒状のフィルタの下端部から下方に重力により下方に落下してフィルタ収納室の下面に滴下して収集されるものであり、この場合、筒状のフィルタ下端部を通過して流れる排気の風量が少ないため、筒状のフィルタの下端部に溜まって重力により落下するオイルミストの凝集物が飛散することがなく、効果的にフィルタ収納室の下面部にオイルミストの凝集物を流下させて捕集することができるものであり、また、フィルタ交換に当たっては平面状のフィルタを嵌め込み溝に差し込んで筒状にするだけで交換でき、従来のようにあらかじめフィルタ枠に円筒状のフィルタを取付けてユニット化したものを交換する場合に比べて、交換が容易で、コストも安く、しかも、フィルタとして平面状のものを用意すればよいので、搬送や保管に要するスペースが小さくてよいものである。
【００４２】
また、請求項２記載の発明にあっては、上記請求項１記載の発明の効果に加えて、フィルタ収納室よりも上流側に前室を設け、筒状をした前フィルタを該前フィルタの外周と前室の内面との間に通気空間を形成するように横向きに配設し、前室の壁面に排気の吸入口を設け、この吸入口を筒状をした前フィルタの軸方向と直交する方向に開口し、且つ、吸入口の中心が前フィルタの軸線よりも下となるようにし、前室内に吸入口から吸入される排気を前室内に斜め下方にガイドするためのガイドを設けてあるので、排気中に含まれる工作機械から発生する切削屑、切粉、砥粒、粒径の大きなオイルミスト等の一部を、前フィルタに到る手前で気流中より前フィルタへの吸引力の影響力を受けることなく重力で落下させて前室の下面部に捕集できるものであって、分離捕集効果が向上し、また、前フィルタの寿命を長くできるものである。
【図面の簡単な説明】
【図１】本発明のファンを用いたオイルミスト除去装置の側面断面図である。
【図２】同上のフィルタ収納室の断面図である。
【図３】同上のフィルタ収納室内にフィルタを内装している状態を示す説明図である。
【図４】同上の前室の断面図である。
【図５】同上に使用するファンの斜視図である。
【図６】同上の正面図である。
【図７】同上の背面図である。
【図８】同上の気体の流れを説明するための正面側から見た説明図である。
【図９】同上の気体の流れを説明するための側面から見た説明図である。
【図１０】同上のファンの要部斜視図である。
【図１１】同上の羽根部の斜視図である。
【図１２】同上のフィルタの両端部の支持を示す説明図である。
【図１３】従来例を示す説明図である。
【図１４】他の従来例を示す説明図である。
【図１５】更に他の従来例を示す説明図である。
【符号の説明】
１２  フィルタ収納室
１９  前フィルタ
２０  吸入口
２１  内側受け片
２２  外側受け片
２４  開口部
２５  排気口
２８  フィルタ
２９  嵌め込み溝
３０  ガイド
【図１】
0003634826.tif 000002
【図２】
0003634826.tif 000003
【図３】
0003634826.tif 000004
【図４】
0003634826.tif 000005
【図５】
0003634826.tif 000006
【図６】
0003634826.tif 000007
【図７】
0003634826.tif 000008
【図８】
0003634826.tif 000009
【図９】
0003634826.tif 000010
【図１０】
0003634826.tif 000011
【図１１】
0003634826.tif 000012
【図１２】
0003634826.tif 000013
【図１３】
0003634826.tif 000014
【図１４】
0003634826.tif 000015
【図１５】
0003634826.tif 000016